【事件の表示】
　特願２００１−２５５９５５「受信方法及び受信機」拒絶査定不服審判事件〔平成１５年　３月　７日出願公開、特開２００３−　６９５１６〕について、次のとおり審決する。
【結　論】
　本件審判の請求は、成り立たない。
【理　由】
１．手続の経緯・本願発明
　本願は、平成１３年８月２７日の出願であって、平成１８年７月２６日付けで拒絶査定がなされ、これに対し、平成１８年８月３１日に拒絶査定に対する審判請求がなされたものであり、その請求項１に係る発明は、平成１７年１０月１７日付けの手続補正により補正された特許請求の範囲の請求項１に記載された事項により特定される次のとおりのものである。（以下、「本願発明」という。）
「チャネルの周波数帯域をＫ（Ｋは、２以上の整数）個に分割したセグメントのうちのＬ（Ｌは、２以上Ｋ以下の整数）個以下のセグメントに復調対象の希望信号が割り当てられた着目チャネルを含む複数のチャネルの信号群を受波する受波処理と、
　前記受波した信号群を周波数変換し、前記セグメントのＬ個分の周波数幅の帯域内に前記希望信号の周波数を入れる処理であって、前記希望信号の前記セグメントへの割り当てられ方に応じて、該周波数変換後の希望信号の中心周波数を、該帯域の中心もしくはその近傍にするか又は該帯域の中心から所定量ずれた位置にするかを切り替える周波数変換処理と、
　前記周波数変換された信号群における前記帯域内の周波数成分を通過させ、該帯域内に入らない周波数成分を減衰させるフィルタリング処理と、
　前記フィルタリング処理の結果から前記希望信号を復調する復調処理と、
　を行なうことを特徴とする受信方法。」
　
２．引用例
　原査定の拒絶の理由に引用された特開２０００−３３２７２６号公報（以下、「引用例」という。）には、図面とともに以下の記載がある。
「【０００１】
【発明の属する技術分野】この発明は、直交周波数分割多重（以下、ＯＦＤＭと記す。ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調方式による伝送信号を受信するＯＦＤＭ受信装置に関する。
【０００２】
【従来の技術】近年、音声信号および映像信号の伝送においてディジタル変調方式の開発が盛んである。特に、ディジタル地上放送においては、マルチパス妨害に強い、周波数利用効率が高い等の特徴を有するＯＦＤＭ変調方式が注目されている。
【０００３】ディジタル地上放送では、図２に示すように１つの周波数帯域（チャネル）を複数のセグメントに分割して複数の階層あるいは複数のサービスを伝送することが考えられている。例えば、ディジタル地上ＴＶ放送では１３セグメントを使用し、ディジタル音声放送では３セグメントあるいは１セグメントを使用して放送される。これらの詳細は映像情報メディア学会誌Ｖｏｌ．５２，Ｎｏ．１１，ｐｐ．１５６２−１５６６等に記載されている。」（２頁２欄２５行〜４５行）
「【００１０】
【発明が解決しようとする課題】従来のＯＦＤＭ受信装置では、３セグメント（広帯域）の送信信号を受信するためのバンドパスフィルタと１セグメント（狭帯域）の送信信号を受信するためのバンドパスフィルタの２種類を用意する必要があり、ＯＦＤＭ受信装置の小型化、低廉化に大きな問題となる。
【００１１】また、３セグメント（広帯域）のみのバンドパスフィルタを用いて１セグメントの送信信号を受信する場合においても、ディジタル地上放送とアナログ地上放送が混在する伝送路上でアナログＴＶ信号の隣接チャネル妨害が存在する場合、図５に示すように周波数帯域（チャネル）の端の１セグメントを受信するとき、アナログＴＶ信号は映像キャリア及び音声キャリア付近にエネルギーが集中しているため、ＯＦＤＭ受信装置で映像キャリアおよび音声キャリア付近の信号を抑圧できず、隣接チャネル妨害の影響を受けて受信性能上の問題となる。
【００１２】そこで本発明では、周波数帯域（チャネル）端の１セグメント（狭帯域）の信号を受信するときに隣接チャネル妨害の影響を抑圧するためチューナの選局周波数をオフセットし、直交検波回路でその周波数オフセットをキャンセルするよう選局制御することで、３セグメント（広帯域）のバンドパスフィルタのみを有するチューナを用いて隣接チャネル妨害の影響を抑圧できるＯＦＤＭ受信装置を提供することを目的とする。」（３頁３欄４５行〜４欄２０行）
「【００１４】
【発明の実施の形態】以下、本発明の実施の形態を詳細に説明する。図１は、本発明の実施の形態に係るＯＦＤＭ受信装置の構成を示すブロック図である。
【００１５】選局情報は入力端子１１３を介して選局制御回路１１４へ入力され、選局制御回路１１４では入力された選局情報に応じた選局周波数制御信号がチューナ１０２へ供給されると共に、オフセット除去信号が加算器１１２へ供給される。入力端子１０１に入力されたＯＦＤＭ変調波は、選局制御回路１１４から入力された選局周波数制御信号によりチューナ１０２で選局され、ＩＦ信号に変換されてＡ／Ｄ変換回路１０３へ供給される。Ａ／Ｄ変換回路１０３では、タイミング再生回路１１０から供給される再生クロックによってディジタル信号に変換される。
【００１６】このＡ／Ｄ変換回路１０３の出力は直交検波回路１０５において加算器１１２からの周波数制御信号により直交検波され、ベースバンドの同相成分（Ｉ信号）と直交成分（Ｑ信号）に変換される。また、Ａ／Ｄ変換回路１０３の出力はＡＧＣ回路１０４にも供給され、受信信号の平均電力が検出され、この結果からＡＧＣ制御信号が求められチューナ１０２へフィードバックされる。
【００１７】直交検波回路１０５の出力はローパスフィルタ（以下、ＬＰＦと記す）１０６へ供給され、不要な高域成分が除去された後ＦＦＴ（高速フーリエ変換）回路１０７およびＬＰＦ１０６へ供給される。ＦＦＴ回路１０７では、ＬＰＦ１０６から供給された信号がＦＦＴ回路１０７でＦＦＴ演算により周波数軸データに変換され、この周波数軸データに変換された信号はデータ復調回路１０８および周波数同期回路１１１へ供給される。
【００１８】タイミング再生回路１１０では、ＬＰＦ１０６から供給された信号により、各回路で必要なタイミング信号を再生しており、ＦＦＴに必要なタイミング信号をＦＦＴ１０７へ供給すると共に、再生した再生クロックをＡ／Ｄ変換回路１０３へ出力する。
【００１９】周波数同期回路１１１ではＦＦＴ回路１０７から供給された信号を用い、特定の周波数スロットに挿入されて送信されるパイロット信号を検出することによりキャリアの周波数誤差が検出され、この検出された周波数誤差信号が加算器１１２へ供給される。
【００２０】データ復調回路１０８では、ＦＦＴ回路１０７の出力が復調され、復調された受信データが出力端子１０９へ供給出力される。また、ＬＰＦ１０６は初期の同期引き込み時には、１セグメント（狭帯域）の通過帯域特性を有するフィルタ特性であり、同期後には送信信号に多重されて伝送される伝送パラメータを復号し、この復号した伝送パラメータに応じて１セグメント（狭帯域）あるいは３セグメント（広帯域）の通過帯域特性に変更する。
【００２１】加算器１１２では、選局制御回路１１４からのオフセット除去信号と周波数同期回路１１１からの周波数誤差信号とが加算され、直交検波回路１０５へ周波数制御信号として供給される。これにより直交検波回路１０５では、キャリアの周波数誤差がキャンセルされる。
【００２２】選局制御回路１１４では選局情報が入力され、選局すべきセグメントが図２の斜線に示すように周波数帯域（チャネル）端の１セグメント（狭帯域）の場合、チューナ１０２のバンドパスフィルタで隣接チャネル妨害を効果的に除去できるようにチューナ１０２の選局周波数をオフセットするための選局周波数制御信号をチューナ１０２へ供給し、更に上記周波数オフセットを直交検波回路１０５でキャンセルするためのオフセット除去信号を加算器１１２へ出力する。
【００２３】上記構成のＯＦＤＭ受信装置では、周波数帯域（チャネル）端の１セグメント（狭帯域）を受信する場合であっても、チューナ１０２において隣接チャネル妨害を除去し良好な受信が可能である。
【００２４】図３はチューナ１０２の構成例を示すブロック図である。図１の入力端子１０１からのＯＦＤＭ変調波は入力端子６０１へ供給される。図１の選局制御回路１１４からの選局周波数制御信号は入力端子６０９へ供給される。局部発振器６０７では、入力端子６０９を介して供給された選局周波数制御信号によって周波数制御された局発信号が周波数変換回路６０２へ供給される。周波数変換回路６０２では、入力端子６０１からのＯＦＤＭ変調波が局部発振器６０７からの局発信号により第１のＩＦ信号に周波数変換され、バンドパスフィルタ６０３へ供給される。この第１のＩＦ信号はバンドパスフィルタ６０３により、希望するＯＦＤＭ信号のみが抜き出され、周波数変換回路６０４へ供給される。
【００２５】周波数変換回路６０４では、バンドパスフィルタ６０３からの信号が局部発振器６０７からの局発信号により第２のＩＦ信号に周波数変換され、ローパスフィルタ６０５へ供給される。この第２のＩＦ信号は、ローパスフィルタ６０５により低域の信号のみが抜き出され出力端子６０６へＩＦ信号として供給される。なお、ローパスフィルタ６０５のフィルタ特性は、後段のＡ／Ｄ変換回路１０３での折り返し成分を除去することを目的とする程度のものであり、チューナ１０２のバンドパスフィルタ特性は３セグメント（広帯域）受信用である。
【００２６】上記周波数オフセット量は、チューナ１０２のバンドパスフィルタによって隣接チャネル妨害を除去し、かつ、受信するＯＦＤＭ信号がそのバンドパスフィルタで削除されない範囲で任意に決定できるが、周波数オフセット量をセグメント間隔と同一とすることによってチューナ１０２では選局周波数制御間隔を小さくすることなく対応でき、チューナの選局周波数制御間隔を小さくすることによるチューナ１０２内の局部発振器６０７の位相雑音特性の劣化を生じることもない。」（３頁４欄４３行〜４頁６欄４４行）
　
　引用例の０００３段落及び図２，図５を参照すると、チャネルの周波数帯域は１３個のセグメントに分割されており、ＯＦＤＭ受信装置は、チャネル内の１個のセグメントを選局して受信することができるものであることが理解できる。
　引用例の００２２段落には、選局すべきセグメントが周波数帯域（チャネル）端の１セグメントの場合、選局周波数をオフセットすることが記載されていることから、選局すべきセグメントが周波数帯域（チャネル）端でない場合には、選局周波数をオフセットしないことが当然の前提である。選局周波数をオフセットしない場合は、選局すべきセグメントとフィルタ特性との関係は、引用例の従来の技術である図５に示されるような関係にあると理解すべきものであり、これは、選局すべきセグメントの中心周波数をフィルタの帯域の中心もしくはその近傍としたものであるということができる。
　引用例の図２及び図５に示されているフィルタ特性は、チューナ１０２のフィルタ特性であり、００２５段落の「チューナ１０２のバンドパスフィルタ特性は３セグメント（広帯域）受信用である。」という記載からすると、チューナ１０２のフィルタ特性は、３セグメントの帯域内の周波数成分を通過させ、該帯域に入らない周波数成分を減衰させるものであるといえ、チューナ１０２の周波数変換回路６０２で行われる処理は、３セグメントの帯域内に選局すべきセグメントの周波数を入れる処理であるということができる。
　また、選局周波数のオフセットについて、引用例の００２６段落には、「周波数オフセット量をセグメント間隔と同一にする」と記載されており、引用例の周波数変換は、選局すべきセグメントがチャネル端の場合、選局すべきセグメントの中心周波数を３セグメントの帯域の中心から所定量ずれた位置にするものであるということができる。
　
　したがって、引用例には、
「チャネルの周波数帯域を１３個に分割したセグメントのうちの１個の選局すべきセグメントが割り当てられたチャネルを受信するＯＦＤＭ受信装置において、
　ＯＦＤＭ変調波を周波数変換し、３セグメントの帯域内に選局すべきセグメントの周波数を入れる処理であって、選局すべきセグメントがチャネル端でない場合は、周波数変換後の選局すべきセグメントの中心周波数を該帯域の中心もしくはその近傍とし、選局すべきセグメントがチャネル端の場合、該帯域の中心から所定量ずれた位置にする周波数変換処理と、
　前記周波数変換されたＯＦＤＭ変調波を３セグメントの帯域内の周波数成分を通過させ、該帯域に入らない周波数成分を減衰させるフィルタリング処理と、
　前記フィルタリング処理の結果から選局すべきセグメントを復調する復調処理と、
　を行うことを特徴とする受信方法。」
の発明（以下、「引用例発明」という。）が開示されているものと認めることができる。
　
３．対比  
　本願発明と引用例発明を対比する。
　引用例発明の「チャネルの周波数帯域を１３個に分割したセグメント」は、本願発明の「チャネルの周波数帯域をＫ（Ｋは、２以上の整数）個に分割したセグメント」において、Ｋ＝１３とした場合に相当する。
　したがって、引用例発明の「チャネルの周波数帯域を１３個に分割したセグメントのうちの１個」が、本願発明の「チャネルの周波数帯域をＫ（Ｋは、２以上の整数）個に分割したセグメントのうちのＬ（Ｌは、２以上Ｋ以下の整数）個以下のセグメント」に含まれるものであることは当然である。
　また、引用例発明の「選局すべきセグメント」は、本願発明の「復調対象の希望信号」に相当する。
　したがって、引用例発明の「選局すべきセグメントが割り当てられたチャネル」は、本願発明の「復調対象の希望信号が割り当てられた着目チャネル」に相当する。
　また、引用例発明の「着目チャネル」は１３個のセグメントを含んでいるから、「信号群」であるということができ、引用例発明の「ＯＦＤＭ受信装置」において、着目チャネルの信号群を受波することにより、ＯＦＤＭ変調波が生成されるものであることは当業者に自明の事項である。
　したがって、引用例発明の「ＯＦＤＭ変調波」は、本願発明の「受波した信号群」に相当する。
　また、引用例発明の「３セグメントの帯域内」は、本願発明の「前記セグメントのＬ個分の周波数幅の帯域内」において、Ｌ＝３とした場合に相当する。本願発明において、「Ｌは２以上Ｋ以下の整数」であるが、Ｋ＝１３とした場合に、Ｌ＝３が含まれていることは明らかである。
　また、引用例発明は、復調対象の希望信号がチャネル端であるかどうかで、周波数変換処理を切り替えるものであるということができ、チャネルは１３個のセグメントに分割されおり、チャネル端がチャネルの端のセグメントを意味するものであることからして、引用例発明の周波数変換処理は、復調対象の希望信号のセグメントへの割り当てられ方に応じて、該周波数変換後の希望信号の中心周波数を、該帯域の中心もしくはその近傍にするか又は該帯域の中心から所定量ずれた位置にするかを切り替えるものであるといえる。　
　
　したがって、両者は、
「チャネルの周波数帯域を１３個に分割したセグメントのうちの１個のセグメントに復調対象の希望信号が割り当てられた着目チャネルの信号群を受波する受波処理と、
　前記受波した信号群を周波数変換し、前記セグメントの３個分の周波数幅の帯域内に前記希望信号の周波数を入れる処理であって、前記希望信号の前記セグメントへの割り当てられ方に応じて、該周波数変換後の希望信号の中心周波数を、該帯域の中心もしくはその近傍にするか又は該帯域の中心から所定量ずれた位置にするかを切り替える周波数変換処理と、
　前記周波数変換された信号群における前記帯域内の周波数成分を通過させ、該帯域内に入らない周波数成分を減衰させるフィルタリング処理と、
　前記フィルタリング処理の結果から前記希望信号を復調する復調処理と、
を行うことを特徴とする受信方法。」
である点で一致し、次の点で相違する。
［相違点］　
　受波処理について、本願発明は、着目チャネルを含む複数のチャネルの信号群を受波するのに対して、引用例発明では、複数のチャネルの信号群を受波することについて言及されていない点。
　
４．当審の判断
　上記相違点について検討する。
　引用例発明のＯＦＤＭ受信装置は、引用例の０００１〜０００３段落の記載を参照すると、ディジタル地上放送を受信するものであるが、そのような受信装置は、一般に複数のチャネルを受信するものであるといえる。
　したがって、引用例発明において、複数のチャネルを受信するために、複数のチャネルの信号群を受波するようにすることは、当業者が格別の困難なくなし得るものである。
　
　そして、本願発明の作用効果も、引用例発明から当業者が予測できる範囲のものである。
　
５　むすび
　したがって、本願発明は、引用例発明に基づいて、当業者が容易に発明をすることができたものであるので、特許法第２９条第２項の規定により特許を受けることができない。
　よって、結論のとおり審決する。